(57)【要約】ベッドに転換可能な座家具においては背もたれ（４）はアーム（３）で座面（２）の平面に旋回可能である。この場合、前記アーム（３）は一方の端部では座部フレーム（１）に枢着され、他方の端部では前記背もたれ（４）の下側に結合されている。家具布（１５）の下には前記座面（２）だけに亘って延在する２重層のドリル織布（１７）が配置されている。このドリル織布（１７）は有利には綿と結合されており、前記座面（２）の前方端部で該座面（２）と結合されている。これによりドリル織布（１７）による被覆は簡単な形式で達成されるようになった。
2004521694.tif 000002
【特許請求の範囲】
【請求項１】
ベッドに転換可能な座家具であって、背もたれ（４）がアーム（３）を使って、座面（２）の平面に旋回可能であり、前記アーム（３）が一方の端部で座部フレーム（１）に枢着され、他方の端部で背もたれ（１４）に枢着されている形式のものにおいて、当該座家具の座り位置で当該座家具の座面（２）が、固定されていない家具布（１５）で覆われており、該家具布（１５）が一方の側で前記座部フレーム（１）の前部下側に結合され、他方の側で前記背もたれ（４）の下側に結合されており、前記家具布（１５）の下側に前記座面（２）の上だけを覆う２重のドリル織布（１７）が配置されており、このドリル織布（１７）が有利には綿と結合されており、前記座面（２）の前方端部にて座面（２）と結合されていることを特徴とする座家具。
【請求項２】
前記家具布（１５）の下側に発泡材、ゴム繊維、やし繊維等から成る層（１４）が配置されている、請求項１記載の座家具。
【請求項３】
前記層（１４）と前記家具布（１５）とが少なくとも端部にて互いに縫合されている、請求項２記載の座家具。
【請求項４】
前記層（１４）が前記家具布（１５）と一緒に弾性的に前記背もたれ（４）の下側に結合されている、請求項２又は３記載の座家具。
【請求項５】
ベッドに転換可能な座家具であって、背もたれ（４）がアーム（３）を使って、座面（２）の平面に旋回可能であり、前記アーム（３）が一方の端部で座部フレーム（１）に枢着され、他方の端部で背もたれ（１４）に枢着されている形式のものにおいて、背もたれ（４）の裏面に別のクッション要素（５）が枢着されており、この枢着部が前記背もたれ（４）の下部領域にあり、クッション化された面が当該座家具の座り位置で後ろへ向けられていることを特徴とする、座家具。
【請求項６】
前記別のクッション要素（５）に脚部（７）が旋回可能に支承されており、横臥位置で前記脚部（７）が前記クッション要素（５）を床面に支えるようになっており、前記脚部（８）がアーム（１０）を介して前記背もたれ（４）と結合され、前記別のクッション要素（５）が外へ旋回させられるときに支持位置へ旋回させられる、請求項５記載の座家具。
【請求項７】
前記背もたれ（４）にばね弾性的な板（２０）又はそれに類似したものが固定され、該ばね弾性的な板（２０）に、前記別のクッション要素（５）に配置されたストッパすべり爪（２２）と協働するすべり爪（２１）が固定されている、請求項５又は６記載の座家具。
【請求項８】
前記アーム（１０）にフック（２３）が支承され、このフック（２３）が、当該座家具を転換する場合に前記背もたれ（４）に配置されたピン（２４）に係合する、請求項５から７までのいずれか１項記載の坂具。
【発明の詳細な説明】
【技術分野】
【０００１】
本発明は、ベッドに転換可能な座家具であって、背もたれがアームを使って、座面の平面に旋回可能であり、前記アームが一方の端部で座部フレームに枢着され、他方の端部で背もたれに枢着されている形式のものに関する。
【０００２】
家具布を保護するために、前記形式の座家具では横臥位置へ転換するときに、座り位置では座家具の背後に配置された自動ローラに巻き上げられていたドリル織布が横臥面に敷かれる。
【０００３】
本発明の目的はドリル織を簡単な形式で敷くことができるようにすることである。これは座家具の座り位置で座家具の座面が、固定されていない家具布で覆われており、この家具布が一方の側で座部フレームの前部下側に結合されかつ他方の側で背もたれの下側に結合されており、家具布の下側に座面だけに亘って延在する２重のドリル織布が配置されており、該ドリル織布が有利には綿と結合されかつ座面の前端にて座面に結合されていることで達成された。
【０００４】
この配置により、横臥位置ではドリル織布は座部と背もたれとによって形成された横臥面全体を覆い、座家具を座り位置へ転換する場合に家具布は巻き上げられる。
【０００５】
背もたれのついた座家具に座る場合には荷重の８５％〜９５％は座部にかかり、背もたれには荷重の１０％から１５％しかかからない。したがって座部は背もたれに較べてはるかに硬いものでなければならない。しかしこの場合には、背もたれを関与させて座家具をベッドに転換した場合に硬さの異なる横臥面が生じることになる。これはもちろん横臥面として不都合である。
【０００６】
したがって先に述べた座家具を改良して、座り位置では座面と背もたれとの硬さが異なるにも拘わらず、横臥位置ではほぼ変わらない硬さを有する座家具を提供することも本発明の目的である。
【０００７】
この目的は家具布の下側に、発泡材、ゴム繊維、やし繊維等から成る層を配置することで達成された。
【０００８】
本発明の座家具では、比較的に硬い発泡材により、座面は座り位置では「硬く」なる。しかし、横臥位置へ転換するときに前記層は座面から引離され、横臥面として用いられる背もたれの上に置かれる。この結果、一方の面（本来の座面）は柔らかくなり、それに続く背もたれは硬くなる。
【０００９】
前記層と家具布は少なくとも端部にて互いに縫合されていると有利である。
【００１０】
しわを避けるためには、前記層は家具布と共に背もたれの下面に弾性的に結合されていると有利である。
【００１１】
座部と背もたれだけしか横臥面として利用されないと、１５０ｃｍ幅の横臥面しか得られない。この場合にはベッドは壁に沿って配置され、「横寝ベッド」となる。
【００１２】
両側からベッドへ上がることができるためには別の要素を付け加えて横臥面を拡大する必要がある。このようにすればいわゆる「縦寝ベッド」が得られる。
【００１３】
本発明はさらに、横寝ベッドの構成要素を用い、付加的な構成要素を簡単に取付けて前記形式の縦寝ヘッドを簡単な形式で製作することを目的としている。これは冒頭に述べた形式の座家具において、背もたれの背面に別のクッション要素を旋回可能に枢着することによって達成された。この場合、枢着部は背もたれの下部分にあり、座家具が座り位置にある場合には、クッション作用の与えられた面は後ろ側へ向けられる。
【００１４】
このように構成された座家具では、背もたれが旋回させられるときに前記別のクッション要素も旋回させられ、これによって壁から離れる方向へ十分な横臥長さが得られる。
【００１５】
前記別のクッション要素に脚部が旋回可能に支承され、この脚部が横臥位置で床面に支えられるようになっておりかつ前記別のクッション要素を外へ旋回させたときに前記脚部が支え位置へ旋回させられるようになっていると有利である。
【００１６】
以下、図示の実施例につき本発明を詳細に説明するが、本発明は図示の実施例に限定されるものではない。
【００１７】
図示の如く、座面２を有する座部フレーム１には側方のアーム３によって背もたれ４が旋回可能に支承されている。背もたれ４の背面には別のクッション要素５が旋回可能に支承されている。この場合、支承部６は背もたれ４の下部領域にある。
【００１８】
クッション要素５には脚部７が旋回可能に支承され、該脚部７の、支承部８に向き合った端部９にはアーム１０が係合し、該アーム１０自体は背もたれ４に枢着されている。
【００１９】
座面２の上には層１１が配置されている。この層１１は一方の側では座部フレーム１の前方下側に配置された横木１２と結合され、他方の側では背もたれ４の横木１３と結合されている。この場合、前記結合は弾性的に、例えばゴム紐を介して行うのが有利である。さらに弾性的な発泡材層を介して前記結合を行うこともできる。
【００２０】
層１１は図４によれば、発泡材１４とその上にある家具布１５とから成っている。この場合、発泡材１４と家具布１５との間には中地１６を配置することもできる。発泡材１４の下側には座面２の領域だけに亘って２層のドリル織布１７がある。このドリル織布１７は綿と結合されていることもできる。ドリル織布１７の折返し部１８においてドリル織布１７は座面２と結合、特に縫合されている。
【００２１】
座家具を図１に示された座り位置から図３の横臥位置へ変えるためには、クッション要素５のひも取っ手１９が引っ張られ、これによって背もたれ４が旋回させられる。図５から判るようにひも取っ手１９がさらに手前へ引っ張られると、背もたれ４の内側に取付けられたばね弾性的な板２０が動かされる。この結果、板２０に取付けられたすべり爪２１がクッション要素５におけるストッパすべり爪２２から外され、ついには図２に示された中間位置に達する。その際、アーム１０に旋回可能に配置された、ばね負荷されたフック２３がピン２４に係合しかつ背もたれ４とクッション要素５との間の角度が固定される。
【００２２】
この位置では背もたれ４の後ろにあるシーツ箱へも手が届くようになる。このために付加的な操作は不要である。これも本発明の利点である。
【００２３】
ひも取っ手１９をさらに手前に引っ張ると、背もたれ４もクッション要素５も図３に示した横臥位置に旋回させられる。この旋回に際して、層１１は背もたれ４によって連行され、ひっくり返された位置で背もたれ４の上に載せられる。これにより、いまや横臥面の一部として用いられる本来の座面２は柔らかくなり、横臥面の中央部分を占める背もたれ４は硬くなる。
【００２４】
同時にドリル織布１７の上側の層も折返し個所１８を中心に旋回させられ、発泡材１４の上に置かれる。脚部７は支承部８を中心として旋回し、クッション要素５を床に支える。
【００２５】
横臥位置から座り位置へ戻すためにはフック２３の上に“Pal”（ノブ）２５が揺動可能に取付けられている。ピン２４は部分２５に向かって動き、この部分２５はフック２３に向かって旋回しかつこれを持上げるのでピン２４は脇をすべり動くことができる。
【００２６】
本発明は個々の要素が種々のヴァリエーションを可能にするために使用者に多様な可能性を提供する。例えば先に述べた座家具は製造に際し著しい変更を加えないで、付加的なクッション要素５なしで製造しかつ使用することもできる。座部フレーム１の下へ移動可能なローラ折畳みベッドを付加的に使用すれば、本発明の座家具の利用範囲は拡大される。ローラ折畳みベッドを使用しないと、本発明のベッドの下の床面が空くことになる。この特徴は利用者によって高く評価される。
【００２７】
個々の要素を種々の組合せで使用すればマーケット化に関しても大きな利点が生じる。周知の如く口こみは最上の広告手段で、１つのヴァリエーションが良い評価を受けなければ、この価値判断は他のヴァリエーションにも波及する。
【図面の簡単な説明】
【００２８】
【図１】本発明の座家具を座り位置で部分的に断面して示した側面図。
【００２９】
【図２】シーツ箱が開かれた中間位置で本発明の座家具を示した図。
【００３０】
【図３】本発明の座家具を横臥位置で示した図。
【００３１】
【図４】図１から図３までに較べて拡大して座部フレームの前縁部を、上に置かれた層と共に示した図。
【００３２】
【図５】拡大した寸法で背もたれの領域−別のクッション要素−を示した図。
【符号の説明】
【００３３】
１  座部フレーム、  ２  座面、  ３  アーム、  ４  背もたれ、  ５  クッション要素、  ６  支承部、  ７  脚部、  ８  支承部、  ９  端部、  １０  アーム、  １１  層、  １２  横木、  １３  横木、  １４  発泡材、  １５  家具布、  １６  中地、  １７  ドリル織布、  １８  折返し部、  １９  取っ手、  ２０  板、  ２１  すべり爪、  ２２  ストッパすべり爪、  ２３  フック、  ２４  ピン
【国際公開パンフレット】
2004521694.tif 000003
2004521694.tif 000004
2004521694.tif 000005
2004521694.tif 000006
2004521694.tif 000007
2004521694.tif 000008
2004521694.tif 000009
2004521694.tif 000010
2004521694.tif 000011
2004521694.tif 000012
2004521694.tif 000013
2004521694.tif 000014
2004521694.tif 000015
2004521694.tif 000016
【国際調査報告】
2004521694.tif 000017
2004521694.tif 000018
2004521694.tif 000019
2004521694.tif 000020